(57)【要約】【課題】電流リーク抑止効果の高い電気接続装置を提供する。【解決手段】電気接続装置は、複数の第１コネクタ端子及び第１コネクタハウジング１２を有する第１コネクタＣ１と、複数の第２コネクタ端子及び第２コネクタハウジング２２を有する第２コネクタＣ２と、を備える。第１及び第２コネクタハウジング１２，２２はコネクタ嵌合状態で互いに対向する対向面１７，２７を有する。第１コネクタハウジング１２は、対向面１７，２７間の対向空間３０を覆う覆い部１２Ｂを有する。第１及び第２コネクタハウジング１２，２２の少なくとも一方はリーク抑止ハウジングであり、前記対向面１７，２７上で端子収容室間を横切る横断溝１７ａ，２７ａと、横断溝１７ａ，２７ａ内の水分を対向空間３０から離れる方向に導く排水路を形成する排水路形成部１９Ａ，１９Ｂ，２９Ａ，２９Ｂと、を有する。【選択図】  図３
2017073291.tif 000002
【特許請求の範囲】
【請求項１】
電気接続装置であって、
複数の第１コネクタ端子と当該複数の第１コネクタ端子をそれぞれ収容する複数の端子収容室をもつ第１コネクタハウジングとを有する第１コネクタと、
それぞれが前記複数の第１コネクタ端子とコネクタ嵌合方向に嵌合可能な複数の第２コネクタ端子と当該複数の第２コネクタ端子をそれぞれ収容する複数の端子収容室をもつ第２コネクタハウジングを有する第２コネクタと、を備え、
前記第１コネクタハウジング及び前記第２コネクタハウジングは、それぞれ、前記第１コネクタ端子と前記第２コネクタ端子とが前記コネクタ嵌合方向に嵌合された状態で当該コネクタ嵌合方向に互いに対向する対向面を有し、前記第１コネクタハウジングは、前記対向面同士の間に挟まれる対向空間を覆う覆い部を有し、
前記第１コネクタハウジング及び前記第２コネクタハウジングのうちの少なくとも一方のコネクタハウジングは、電流リークを抑止する機能をもつリーク抑止ハウジングであり、当該リーク抑止ハウジングは、当該リーク抑止ハウジングの前記対向面に形成され、当該リーク抑止ハウジングに含まれる前記複数の端子収容室のうち互いに隣接する端子収容室同士の間を横切る横断方向に延びて当該リーク抑止ハウジングの前記対向面上の水分を受け入れる横断溝と、当該横断溝内の水分を前記コネクタ嵌合方向に沿って前記対向空間から離れる方向に導くことにより当該リーク抑止ハウジングの外部に排出する排水路を形成する排水路形成部と、を有する、電気接続装置。
【請求項２】
請求項１記載の電気接続装置であって、前記リーク抑止ハウジングは、前記排水路形成部として、前記横断溝とつながる位置でかつ前記各端子収容室から外れた位置で当該リーク抑止ハウジングを前記コネクタ嵌合方向に沿う方向に貫通する貫通孔を含む、電気接続装置。
【請求項３】
請求項１または２記載の電気接続装置であって、前記第１コネクタハウジング及び前記第２コネクタハウジングのうちの少なくとも前記第２コネクタハウジングが前記リーク抑止ハウジングであり、前記第１コネクタハウジングの前記覆い部は、前記対向空間及び前記第２コネクタハウジングの外側面のうち少なくとも前記対向空間に隣接する部分を覆うフードであり、前記第２コネクタハウジングの外側面は、前記排水路形成部として、前記フードの内側面との間に前記コネクタ嵌合方向に延びる前記排水路を形成するように前記内側面から離れる向きに部分的に凹む排水凹部を有する、電気接続装置。
【請求項４】
請求項１〜３のいずれかに記載の電気接続装置であって、前記リーク抑止ハウジングの前記対向面は、当該対向面の外周に沿って延びかつ前記横断溝とつながる外周溝をさらに有し、前記排水路形成部により形成される前記排水路が前記外周溝につながっている、電気接続装置。
【請求項５】
請求項１〜４のいずれかに記載の電気接続装置であって、前記排水路形成部が形成する排水路は、前記対向空間から離れるに従って流路断面が拡大する形状を有する、電気接続装置。
【請求項６】
請求項１〜５のいずれかに記載の電気接続装置であって、前記第１コネクタハウジング及び前記第２ハウジングの双方が前記リーク抑止ハウジングである、電気接続装置。
【発明の詳細な説明】
【技術分野】
【０００１】
本発明は、自動車のワイヤハーネス等に用いられる電気接続装置であって互いに嵌合可能なコネクタを備えるものに関する。
【背景技術】
【０００２】
従来、自動車のワイヤハーネス等に用いられる電気接続装置として、互いに嵌合する第１コネクタ及び第２コネクタを備え、当該第１コネクタと第２コネクタとの嵌合により電気接続を形成するものが知られている。各コネクタは、複数のコネクタ端子と、これらのコネクタ端子を保持するコネクタハウジングと、を有する。前記各コネクタ端子は、導電材料により形成され、電線等の電気接続対象にそれぞれ接続される。前記コネクタハウジングは合成樹脂等の絶縁材料からなり、前記コネクタ端子同士を電気的に絶縁させた状態で当該コネクタ端子を保持する。具体的に、当該コネクタハウジングは、前記複数のコネクタ端子を個別に収容する端子収容室を有する。
【０００３】
しかしながら、このような電気接続装置では、前記コネクタハウジングのうち相手方のコネクタのコネクタハウジングとコネクタ嵌合方向に対向する面である対向面に結露等によって水分が付着し、この水分が互いに隣接するコネクタ端子同士の間に介在することにより当該コネクタ端子間での電流のリークを生じさせるおそれがある。しかも、前記対向面は一般に前記コネクタハウジングに含まれるフード等によって外部から覆われるため、前記対向面に一旦付着した水分は当該対向面上に滞留しやすい。
【０００４】
従来、このようなリーク電流を抑止するための技術として、前記コネクタハウジングの対向面に溝を形成するものが知られている。例えば特許文献１には、左右に並ぶように配置された一対のコネクタ端子と、これらのコネクタ端子を保持するコネクタハウジングと、を備えるコネクタにおいて、前記コネクタハウジングの対向面に相当する合わせ面に、前記コネクタ端子同士の間を横切るように上下方向に延びる溝と、この溝の下端につながる溜まり部と、を形成したものが開示されている。前記溝は、前記合わせ面に付着した水滴等を当該溝に沿って前記溜まり部に導き、これにより、当該水滴等がコネクタ端子同士の間に滞留してリーク電流を生じさせることを防ぐ。
【先行技術文献】
【特許文献】
【０００５】
【特許文献１】特開２００２−２２２６７３号公報
【発明の概要】
【発明が解決しようとする課題】
【０００６】
前記特許文献１に開示されるコネクタでは、前記溝内を伝わる水分を受け入れる溜まり部が必ず当該溝の下側に位置しなければならないので、当該コネクタの姿勢が著しく制限される。また、当該コネクタが正規の姿勢から大きく傾いた場合や、前記溜まり部に導かれた水分の量が当該溜まり部の容量を超えた場合には、当該溜まり部から当該溝に水分が逆流して電流のリークの抑止の効果を低下させるおそれがある。
【０００７】
本発明は、このような事情に鑑み、コネクタ端子間での電流リークを抑止する効果の高い電気接続装置を提供することを目的とする。
【課題を解決するための手段】
【０００８】
本発明により提供される電気接続装置は、複数の第１コネクタ端子と当該複数の第１コネクタ端子をそれぞれ収容する複数の端子収容室をもつ第１コネクタハウジングとを有する第１コネクタと、それぞれが前記複数の第１コネクタ端子とコネクタ嵌合方向に嵌合可能な複数の第２コネクタ端子と当該複数の第２コネクタ端子をそれぞれ収容する複数の端子収容室をもつ第２コネクタハウジングを有する第２コネクタと、を備える。前記第１コネクタハウジング及び前記第２コネクタハウジングは、それぞれ、前記第１コネクタ端子と前記第２コネクタ端子とが前記コネクタ嵌合方向に嵌合された状態で当該コネクタ嵌合方向に互いに対向する対向面を有し、前記第１コネクタハウジングは、前記対向面同士の間に挟まれる対向空間を覆う覆い部を有する。前記第１コネクタハウジング及び前記第２コネクタハウジングのうちの少なくとも一方のコネクタハウジングは、電流リークを抑止する機能をもつリーク抑止ハウジングであり、当該リーク抑止ハウジングは、前記対向面に形成され、当該リーク抑止ハウジングの端子収容室のうち互いに隣接する端子収容室同士の間を横切る横断方向に延びて当該リーク抑止ハウジングの前記対向面上の水分を受け入れる横断溝と、当該横断溝内の水分を前記コネクタ嵌合方向に沿って前記対向空間から離れる方向に導くことにより当該リーク抑止ハウジングの外部に排出する排水路を形成する排水路形成部と、を有する。
【０００９】
この電気接続装置によれば、結露等によってリーク抑止ハウジングの対向面上に水分が付着しても、当該リーク抑止ハウジングの対向面において互いに隣接する端子収容室同士の間に介在する横断溝が当該水分を受け入れることにより、当該水分が各端子収容室に収容されるコネクタ端子（第１コネクタ端子または第２コネクタ端子）同士の間に介在して当該コネクタ端子間に電流のリークを生じさせることを、有効に抑止する。しかも、当該横断溝に受け入れられた水分は、前記リーク抑止ハウジングの排水路形成部が形成する排水路を通じて前記対向面同士の間に挟まれる前記対向空間からコネクタ嵌合方向と平行な方向に沿って排水されるため、当該水分の当該横断溝内での滞留や当該横断溝への逆流が防がれる。このことは、前記水分に起因する電流のリークの抑止をより確実にする。
【００１０】
前記リーク抑止ハウジングの排水路形成部は、例えば、前記横断溝とつながる位置でかつ前記各端子収容室から外れた位置で当該リーク抑止ハウジングを前記コネクタ嵌合方向に沿う方向に貫通する貫通孔が、好適である。この貫通孔は、前記リーク抑止ハウジングのうち前記第１端子収容室が形成されていない部分を有効に利用して前記横断溝内の水分を排水することを可能にする。
【００１１】
前記第１コネクタハウジングの前記覆い部が前記対向空間及び前記第２コネクタハウジングの外側面のうち少なくとも前記対向空間に隣接する部分を覆うフードである場合、前記第２コネクタハウジングの外側面は、前記排水路形成部として、前記フードの内側面との間に前記コネクタ嵌合方向に延びる前記排水路を形成するように前記内側面から離れる向きに部分的に凹む排水凹部を有することが、好ましい。この排水凹部は、前記フードを有効に利用して前記排水路を形成することを可能にする。
【００１２】
前記リーク抑止ハウジングの対向面は、当該対向面の外周に沿って延びかつ前記横断溝とつながる外周溝をさらに有することが好ましい。この場合、前記排水路形成部は、必ずしも前記横断溝と直接つながっていなくてもよく、前記外周溝につながっていても当該外周溝を介して前記横断溝とつながることができるため、当該排水路形成部の位置の選定の自由度が高い。
【００１３】
前記排水路形成部が形成する排水路は、前記対向空間から離れるに従って流路断面が拡大する形状を有することが、好ましい。この形状は、前記対向空間からの水分の円滑な排出を可能にする。
【００１４】
本発明に係る電気接続装置では、前記第１コネクタハウジング及び前記第２ハウジングの双方が前記リーク抑止ハウジングであることが、より好ましい。これにより、電流のリークを抑止する効果がさらに高められる。
【発明の効果】
【００１５】
以上のように、本発明によれば、コネクタ端子同士の間に水分が介在することに起因する電流のリークを抑止する効果を高めることが可能な電気接続装置が提供される。
【図面の簡単な説明】
【００１６】
【図１】本発明の実施の形態に係る電気接続装置において第１コネクタと第２コネクタとが結合した状態を示す斜視図である。
【図２】図１に示される状態を示す正面図であって一部断面を含む図である。
【図３】図２のＩＩＩ−ＩＩＩ線に沿った断面を示す側面図である。
【図４】図２のＩＶ−ＩＶ線に沿った断面を示す側面図である。
【図５】前記第１コネクタの正面図である。
【図６】前記第１コネクタをそのフードの側から見た斜視図である。
【図７】前記第１コネクタをその後端の側から見た斜視図である。
【図８】前記第２コネクタをその先端の側から見た斜視図である。
【図９】前記第２コネクタをその後端の側から見た斜視図である。
【発明を実施するための形態】
【００１７】
本発明の好ましい実施の形態を、図面に基づいて説明する。
【００１８】
図１〜図４は、この実施の形態に係る電気接続装置を示す。この電気接続装置は、複数本の電線Ｗ１と複数本の電線Ｗ２とを相互に電気的に接続するためのものであり、互いに結合可能な第１コネクタ１０及び第２コネクタ２０を備える。
【００１９】
前記第１コネクタ１０は、図４に示すように前記複数本の電線Ｗ１にそれぞれ接続される複数の第１コネクタ端子１１と、当該複数の第１コネクタ端子１１を一括して保持する第１コネクタハウジング１２と、を有する。この実施の形態に係る第１コネクタ１０は、計４個の第１コネクタ端子１１を含み、前記第１コネクタハウジング１２は当該第１コネクタ端子１１が縦横に並んだ状態でこれらを保持する。
【００２０】
前記各第１コネクタ端子１１は、導電材料である金属板からなり、雄型の電気接触部１４と、導体バレル１５と、インシュレーションバレル１６と、を一体に有する。導体バレル１５は、前記電線Ｗ１に含まれる導体の端末に当該端末を抱き込むように圧着されることにより、当該導体と第１コネクタ端子１１とが電気的に導通可能な状態にする。前記インシュレーションバレル１６は、前記電気接触部１４の後ろ側の位置で前記電線Ｗ１に含まれる絶縁被覆を抱き込むように当該絶縁被覆に圧着される。前記電気接触部１４及び前記バレル１５，１６は前記電線Ｗ１の中心軸に沿う方向である端子軸方向に並んでいる。
【００２１】
前記第１コネクタハウジング１２は、合成樹脂等の絶縁材料からなり、ハウジング本体１２Ａと、フード１２Ｂと、を一体に有する。前記ハウジング本体１２Ａは、略直方体状のブロックであり、当該ブロックを前後方向に貫通して前記複数の第１コネクタ端子１１をそれぞれ収容する複数の端子収容室１８と、各端子収容室１８内において前記第１コネクタ端子１１を係止する図略のランスと、を有する。前記フード１２Ｂは、前記ハウジング本体１２Ａの前端（図３及び図４では左端）の外周部から前記第２コネクタ２０側に延びる角筒状をなす。
【００２２】
前記第２コネクタ２０は、図４に示すように前記複数本の電線Ｗ２にそれぞれ接続される複数の第２コネクタ端子２１と、当該複数の第２コネクタ端子２１を一括して保持する第２コネクタハウジング２２と、を有する。この実施の形態に係る第２コネクタ２０は、前記複数の第１コネクタ端子１１とそれぞれ嵌合可能な計４個の第２コネクタ端子２１を含み、前記第２コネクタハウジング２２は前記第２コネクタ端子２１を前記第１コネクタ端子１１の配列に対応する配列で、つまり当該第２コネクタ端子２１が縦横に並んだ状態で、保持する。
【００２３】
前記各第２コネクタ端子２１は、導電材料である金属板からなり、前記第１コネクタ端子１１と同様に、端子軸方向（電線Ｗ２の軸方向）に並ぶ電気接触部２４、導体バレル２５及びインシュレーションバレル２６を一体に有する。前記電気接触部２４は、前記第１コネクタ端子１１における前記雄型の電気接触部１４に対して前記端子軸方向と平行なコネクタ嵌合方向（前後方向）に嵌合可能な雌型の電気接触部である。前記導体バレル２５及び前記インシュレーションバレル２６は、前記導体バレル１５及び前記インシュレーションバレル１６と同様、前記電線Ｗ２に含まれる導体の端末及びその後ろ側の絶縁被覆にそれぞれ圧着され、当該導体と電気的導通が可能である。
【００２４】
前記第２コネクタハウジング２２は、合成樹脂等の絶縁材料からなる、略直方体状のブロックである。当該第２コネクタハウジング２２は、これを前後方向に貫通して前記複数の第２コネクタ端子２１をそれぞれ収容する複数の端子収容室２８と、各端子収容室２８内において前記第１コネクタ端子１１を係止する図略のランスと、を有する。
【００２５】
前記第２コネクタハウジング２２の前端側の部分は、前記第１コネクタハウジング１２のフード１２Ｂの内側に嵌入されることが可能であり、これにより、前記第１コネクタハウジング１２のハウジング本体１２Ａの前端面１７と、前記第２コネクタハウジング２２の前端面２７と、が前記コネクタ嵌合方向に隙間をおいて当該コネクタ嵌合方向に対向した状態で、前記各第１コネクタ端子１１とこれに対応する前記第２コネクタ端子２１との嵌合が達成される。換言すれば、前記第１及び第２コネクタハウジング１２，２２の両前端面１７，２７は、前記第１コネクタ端子１１と前記第２コネクタ端子２１とが嵌合するコネクタ嵌合状態において前記隙間に相当する対向空間３０を挟んで互いに対向する対向面を構成し、前記第１コネクタハウジング１２のフード１２Ｂは、前記対向空間３０と前記第２コネクタハウジング２２の外側面のうち少なくとも前記前端面２７に隣接する部分（この実施の形態では前半部分）を覆う覆い部に相当する。
【００２６】
さらに、この電気接続装置の特徴として、前記第１コネクタハウジング１２及び前記第２コネクタハウジング２２は、いずれもリーク抑止ハウジングに相当する。このリーク抑止ハウジングは、水分を媒介としたコネクタ端子間（第１コネクタ端子１１間及び第２コネクタ端子２１間）の電流リークを抑止する機能をもつコネクタハウジングである。前記両前端面１７，２７に挟まれた前記対向空間３０は前記フード１２Ｂにより覆われて実質上密閉に近い状態にあるため、当該前端面１７，２７に結露等によって水分が付着してそのまま滞留すると、当該水分が互いに隣接する第１コネクタ端子１１同士あるいは第２コネクタ端子２１同士をブリッジして両者間で電流のリークを生じさせるおそれがあるが、前記リーク抑止ハウジングである前記第１及び第２コネクタハウジング１２，２２は、それぞれ、前記の電流のリークを抑止する機能を有する。
【００２７】
具体的に、前記第１コネクタハウジング１２は、一対の横断溝１７ａと、外周溝１７ｂと、それぞれが排水路形成部である複数の貫通孔と、を含む。
【００２８】
前記横断溝１７ａは、前記前端面１７に形成された縦横の溝であって、前記複数の端子収容室１８のうち互いに縦横方向に隣接する端子収容室１８同士の間をその隣接方向と直交する方向に横切る横断方向すなわち縦横方向に延びる。つまり、当該横断溝１７ａは前記前端面１７のうち互いに隣接する端子収容室１８同士の間で他の部分よりも局所的に凹んだ部分であり、当該前端面１７に付着する水分を当該横断溝１７ａ内に受け入れる機能を有する。前記外周溝１７ｂは、前記前端面１７の外周に沿って延びる形状、この実施の形態では無端矩形状、をなしかつ前記横断溝１７ａの両端とつながる。
【００２９】
前記複数の貫通孔は、前記横断溝１７ａとつながる位置であってかつ前記各端子収容室１８から外れた位置で、それぞれ前記第１コネクタハウジング１２を前記コネクタ嵌合方向に沿う方向に貫通し、これにより前記排水路を形成する。具体的に、この実施の形態に係る前記複数の貫通孔は、図５に示すように、正面からみて前記ハウジング本体１２Ａの中央の位置に形成された単一の貫通孔１９Ａと、各横断溝１７ａの両端の位置に形成された計４個の貫通孔１９Ｂと、前記前端面１７の四隅の位置に形成された計４個の貫通孔１９Ｃと、を含み、いずれも前記外周溝１７ｂとつながっている。このうち前記貫通孔１９Ａ，１９Ｂは前記横断溝１７ａと直接つながる貫通孔であり、前記四隅の貫通孔１９Ｃは前記外周溝１７ｂを介して前記横断溝１７ａと間接的につながる貫通孔である。
【００３０】
当該複数の貫通孔１９Ａ〜１９Ｃは、それぞれ、前記排水路、具体的には前記横断溝１７ａ内に受け入れられた水分を前記コネクタ嵌合方向に沿って前記対向空間３０から離れる方向に導くことにより前記第１コネクタハウジング１２の後方に排出する排水路、を形成する。つまり、当該各貫通孔１９Ａ〜１９Ｃは、当該第１コネクタハウジング１２のうち前記第１端子収容室が形成されていない部分を有効に利用して前記横断溝内の水分を排水するための排水路を形成することを可能にする。
【００３１】
一方、前記第２コネクタハウジング２２は、一対の横断溝２７ａと、外周溝２７ｂと、複数の排水路形成部と、を有し、当該複数の排水路形成部は貫通孔２９Ａ及び複数の排水溝２９Ｂを含む。
【００３２】
前記横断溝２７ａは、前記第１コネクタハウジング１２の前記横断溝１７ａと同様、前記前端面２７に形成された縦横の溝であって、前記複数の端子収容室２８のうち縦横に互いに隣接する端子収容室２８同士の間をその隣接方向と直交する方向に横切る横断方向すなわち縦横方向に延びる。つまり、当該横断溝２７ａも、前記前端面２７のうち互いに隣接する端子収容室２８同士の間で他の部分よりも局所的に凹んだ部分であり、当該前端面２７に付着する水分を当該横断溝２７ａ内に受け入れる機能を有する。前記外周溝２７ｂも、前記外周溝１７ｂと同様、前記第２コネクタハウジング２２の前端面２７の外周に沿って延びる形状、この実施の形態では無端矩形状、をなし、かつ前記横断溝２７ａの両端とつながる。
【００３３】
前記貫通孔２９Ａは、前記第１コネクタハウジング１２の前記中央の貫通孔１９Ａと同様、前記両横断溝１７ａ，１７ａに直接つながる位置であって前記第２コネクタハウジング２２のうち前記端子収容室２８が形成されていない中央位置で当該第２コネクタハウジング２２をコネクタ嵌合方向に貫通し、これにより、前記横断溝１７ａ内に受け入れられた水分を前記コネクタ嵌合方向に沿って前記対向空間３０から離れる方向に導くことにより前記第１コネクタハウジング１２の後方に排出する排水路を形成する。
【００３４】
前記複数の排水溝２９Ｂは、前記第２コネクタハウジング２２の外側面であって４つの側面のそれぞれに設けられ、前記フード１２Ｂの内側面１２ｂとの間に前記貫通孔２９Ａによる排水路と同様の排水路、すなわちコネクタ嵌合方向に沿って前記対向空間３０から離れる向きに延びる排水路、を形成する。すなわち、前記各排水溝２９Ｂは、前記第２コネクタハウジング２２の外側面のうち前記フード１２Ｂの内側面１２ｂから離れる向きに局所的に凹んだ部分である。この実施の形態に係る排水溝２９Ｂは、その入口端すなわち前端が前記一対の横断溝１７ａの両端とそれぞれ直接つながる位置に、形成されている。
【００３５】
この電気接続装置によれば、結露等によって第１コネクタハウジング１２の前端面１７あるいは第２コネクタハウジング１２の前端面２７上に水分が付着しても、当該水分が互いに隣接する端子収容室１８，２８同士の間に介在する横断溝１７ａ，２７ａ内にそれぞれ受け入れられ、これにより、当該水分が互いに隣接する第１コネクタ端子１１同士または第２コネクタ端子２１同士の間に介在して電流のリークを発生させることが、有効に抑止される。
【００３６】
しかも、前記横断溝１７ａ，２７ａに受け入れられた水分は、当該横断溝１７ａ，２７ａとつながる排水路により前記コネクタ嵌合方向に沿って前記対向空間３０から離れる向きに排水されるため、当該対向空間３０内での前記水分の長期にわたる滞留や、当該対向空間３０に向かっての逆流が防がれ、これにより電流リークの抑止効果がより確実となる。具体的に、前記第１コネクタハウジング１２の横断溝１７ａ内に受け入れられた水分は、前記貫通孔１９Ａ，１９Ｂに直接流入し、あるいは外周溝１７ｂを経由して貫通孔１９Ａ〜１９Ｃに流入した後、当該貫通孔１９Ａ〜１９Ｃがそれぞれ形成する排水路を通じて第１コネクタハウジング１２の後方に排水される。一方、前記第２コネクタハウジング２２の横断溝２７ａ内に受け入れられた水分は、前記貫通孔２９Ａまたは前記排水溝２９Ｂに直接流入し、あるいは外周溝２７ｂを経由して当該貫通孔２９Ａまたは当該排水溝２９Ｂに流入した後、当該貫通孔２９Ａが形成する排水路または当該排水溝２９Ｂとフード１２Ｂの内側面１２ｂとの間に形成された排水路を通じて、第２コネクタハウジング２２の後方に排水される。
【００３７】
さらに、この実施の形態では、前記各貫通孔１９Ａ〜１９Ｃ，２９Ａ及び前記排水溝２９Ｂにそれぞれ前記対向空間３０から離れるに従って流路断面が拡大する向きのテーパーが与えられており、このテーパーが前記対向空間３０からの水分の排出を円滑にし、前記電流リーク抑止効果を高めることを可能にする。例えば、図３に示される中央の貫通孔１９Ａ，２９Ａは円形断面を有していてその直径が次第に拡大するようなテーパーをもつ。前記貫通孔１９Ｂは矩形の断面を有していてそのうち前記第１コネクタハウジング１２の外側面に沿う方向の幅が次第に拡大するようなテーパーをもつ。前記排水溝２９Ｂは偏平な矩形の断面を有していてそのうち当該排水溝２９Ｂの長手方向と直交する方向であって前記第２コネクタハウジング２２の外側面に沿う方向の幅が次第に拡大するようなテーパーが与えられている。また、四隅の貫通孔１９Ｃにも、その流路断面が次第に拡大するようなテーパーが与えられている。当該テーパーは、前記各排水路形成部が形成する排水路のうちの一部の排水路にのみ与えられていてもよい。
【００３８】
本発明は、以上説明した実施の形態に限定されない。本発明は、例えば次のような態様を含む。
【００３９】
（１）リーク抑止ハウジングについて
前記実施の形態に係る電気接続装置では、第１及び第２コネクタハウジング１２，２２の双方がリーク抑止ハウジングであるが、当該電気接続装置の使用態様によっては一方のコネクタハウジングのみがリーク抑止ハウジングであるだけでも電流リークの抑止が可能であるよい。例えば、使用時の第１及び第２コネクタハウジングの姿勢が決まっていて一方のコネクタハウジングが他方のコネクタハウジングの下側に位置する姿勢で第１及び第２コネクタが使用される場合、下側に配置されるコネクタハウジング、すなわち、その対向面上に水分が滞留しやすいコネクタハウジング、のみがリーク抑止ハウジングであってもよい。
【００４０】
（２）外周溝及びこれにつながる排水路について
前記外周溝１７ｂ，２７ｂは省略が可能である。この場合も、排水路が横断溝１７ａ，２７ａと直接つながっていれば、当該横断溝１７ａ，２７ａに受け入れられた水分のコネクタハウジング外部への排出が可能である。ただし、本発明に係る横断溝と排水路との橋渡しとなり得る外周溝の存在は、前記排水路を形成する排水路形成部の位置の選定の自由度を高め、これにより排水効果を高めることを可能にする。例えば図５及び図６に示される前記第１コネクタハウジング１２の外周溝１７ｂは、前記横断溝１７ａに直接つながる貫通孔１９Ａ，１９Ｂに加えて当該横断溝１７ａから外れた四隅に位置する貫通孔１９Ｃも排水路形成部として機能することを可能にする。すなわち、当該外周溝１７ｂは、端子収容室１８を除く限られた領域内により多くの排水路形成部を設けることを可能にし、これにより排水効果を高めることを可能にする。
【００４１】
（３）排水凹部について
第２コネクタハウジングの外側面に形成される排水凹部は、第１コネクタハウジングのフードの内側面とともに排水路を形成するように他の部分よりも前記内側面から離れる向きに相対的に凹んでおればよく、よって必ずしも溝でなくてもよい。例えば、図８及び図９に示される略直方体状の第２コネクタハウジング２２の稜線部分２３の少なくとも一部をその長手方向（コネクタ嵌合方向と平行な方向）の全域またはほぼ全域にわたって平面状あるいは曲面状に切り欠くことによっても、その切欠かれた部分である排水凹部の表面とフード１２ｂの内側面（詳しくはフード１２ｂの内側面のうち四隅を挟む部分）との間に前記コネクタ嵌合方向に延びる排水路を形成することが可能である。
【符号の説明】
【００４２】
１０    第１コネクタ
１１    第１コネクタ端子
１２    第１コネクタハウジング
１２Ａ  ハウジング本体
１２Ｂ  フード
１７    第１コネクタハウジングの前端面（対向面）
１７ａ  第１コネクタハウジングの横断溝
１７ｂ  第１コネクタハウジングの外周溝
１８    第１コネクタハウジングの端子収容室
１９Ａ，１９Ｂ，１９Ｃ  貫通孔
２０    第２コネクタ
２１    第２コネクタ端子
２２    第２コネクタハウジング
２７    第２コネクタハウジングの前端面（対向面）
２７ａ  第２コネクタハウジングの横断溝
２７ｂ  第２コネクタハウジングの外周溝
２８    第２コネクタハウジングの端子収容室
２９Ａ  貫通孔
２９Ｂ  排水溝（排水凹部）
３０    対向空間
【図１】
2017073291.tif 000003
【図２】
2017073291.tif 000004
【図３】
2017073291.tif 000005
【図４】
2017073291.tif 000006
【図５】
2017073291.tif 000007
【図６】
2017073291.tif 000008
【図７】
2017073291.tif 000009
【図８】
2017073291.tif 000010
【図９】
2017073291.tif 000011